(57)【要約】【課題】セル再選択、ならびに強化されたＣＥＬＬ＿ＦＡＣＨ状態への遷移および強化されたＣＥＬＬ＿ＦＡＣＨ状態からの遷移を扱うこと。【解決手段】セル再選択および遷移を扱うために記載の方法および装置が、セル再選択を実行すること（３１０）を含む。ＭＡＣ（媒体アクセス制御）−ｅｈｓリセットが、実行される（３２０）。実施形態において、セル再選択は、セル更新確認メッセージを待っている間に実行される。無線リンク障害を受け、ＨＳ＿ＤＳＣＨ＿ＲＥＣＥＰＴＩＯＮ＿ＯＦ＿ＣＣＣＨ＿ＥＮＡＢＬＥＤ変数をクリアする（またはこの変数をＴＲＵＥ／ＦＡＬＳＥに設定する）。状態間の遷移を行い、かつＨＳＤＰＡ（３ＧＰＰのリリース７）のサポートを行う。【選択図】図３
2014140213.tif 000002
【特許請求の範囲】
【請求項１】
セル再選択を扱うための方法であって、
ユーザ機器（ＵＥ）がアイドルモードの間に、
セル再選択を実行すること、
高速ダウンリンク共有チャネル（ＨＳ−ＤＳＣＨ）の受信が継続されているかどうかを、ＨＳ−ＤＳＣＨ共通システム情報がシステム情報ブロック（ＳＩＢ）５またはＳＩＢ５ｂｉｓに含まれているかどうか及び変数ＨＳ−ＤＳＣＨ＿ＲＥＣＥＰＴＩＯＮ＿ＯＦ＿ＣＣＣＨ＿ＥＮＡＢＬＥＤの値がＴＲＵＥに設定されているかどうかを判定することで判定すること、及び、
該ＨＳ−ＤＳＣＨの受信が継続されていることに応答して、媒体アクセス制御（ＭＡＣ）のリセットを行うこと
を含む方法。
【請求項２】
さらに、前記ＨＳ−ＤＳＣＨの受信を、前記ＨＳ−ＤＳＣＨの受信が継続されていないことに応答して開始することを含む、請求項１に記載の方法。
【請求項３】
さらに、ＨＳ−ＤＳＣＨ受信変数を、前記ＨＳ−ＤＳＣＨの受信が継続されていないことに応答して、第１の状態に設定することを含む、請求項１に記載の方法。
【発明の詳細な説明】
【技術分野】
【０００１】
本出願は、無線通信に関する。
【背景技術】
【０００２】
ＵＴＲＡＮ（Ｕｎｉｖｅｒｓａｌ  Ｔｅｌｅｃｏｍｍｕｎｉｃａｔｉｏｎｓ  Ｒａｄｉｏ  Ａｃｃｅｓｓ  Ｎｅｔｗｏｒｋ）におけるＵＥ（ユーザ機器）は、通常、以下の２つのモード、すなわち、アイドルモードまたは接続モードのいずれかにある。接続モードにある間のＵＥ移動性およびＵＥ活動に基づいて、ＵＴＲＡＮは、Ｃｅｌｌ＿ＰＣＨ（セルページングチャネル）、ＵＲＡ＿ＰＣＨ（ＵＴＲＡＮ登録エリアページングチャネル）、Ｃｅｌｌ＿ＦＡＣＨ（セル転送アクセスチャネル）、およびＣｅｌｌ＿ＤＣＨ（セル専用チャネル）などの、いくつかのサブ状態の間で遷移するようＵＥを導くことができる。このことは、通常、ネットワークベースの再構成手続きを介して、またはセル更新手続きの結果として達せられる。セル更新手続きは、ＵＥの現在位置についてネットワークに知らせるようにＵＥによって開始される。Ｃｅｌｌ＿ＤＣＨ状態は、アップリンクとダウンリンクの両方における専用チャネルによって特徴付けられる。ＵＥ側で、このことは、絶え間ない送信および受信に相当し、ユーザ電力要件への要求が厳しい可能性がある。Ｃｅｌｌ＿ＦＡＣＨ状態は、専用チャネルを使用せず、このため、アップリンクスループットおよびダウンリンクスループットが低下するという犠牲を払って、より良好な電力消費を可能にする。
【０００３】
標準化機構による最近の研究が、Ｃｅｌｌ＿ＦＡＣＨおよびＣｅｌｌ／ＵＲＡ＿ＰＣＨにおいてＨＳＤＰＡ（高速ダウンリンクパケットアクセス）を使用することの可能性を確認している。ＨＳＤＰＡは、Ｃｅｌｌ＿ＤＣＨにおいて動作するように３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）仕様のリリース５において導入された機能である。ＨＳＤＰＡは、すべて非常に高速レートで動作するＡＭＣ（適応変調−符号化）、ＨＡＲＱ（ハイブリットＡＲＱ；混成自動再送要求）スキームを使用する再送、およびノードＢスケジューリングなどの概念を使用することによって、ダウンリンク共有容量をよりうまく利用しようと試みている。ＰＤＵ（パケットデータユニット）は、ＨＡＲＱによって組み合わされ、さらにその後、順序が乱れている可能性がある受信に対処するように並べ替えキューの中に格納される。ダウンリンク伝送は、Ｈ−ＲＮＴＩ（ＨＳ−ＤＳＣＨ無線ネットワーク識別子）を介してＵＥにアドレス指定される。
【０００４】
ＵＥが、リリース７におけるＨＳＤＰＡをサポートする場合、ＵＥは、ＣＥＬＬ＿ＦＡＣＨおよびＣＥＬＬ／ＵＲＡ＿ＰＣＨにおけるＨＳＤＰＡもサポートするものと想定される。ＣＥＬＬ＿ＦＡＣＨにおけるＨＳ−ＤＳＣＨ受信は、ＣＥＬＬ＿ＰＣＨおよびＵＲＡ＿ＰＣＨにおけるＨＳ−ＤＳＣＨ受信なしに構成されることが可能である。ＣＥＬＬ＿ＦＡＣＨにおけるＨＳ−ＤＳＣＨ（高速ダウンリンク共有チャネル）受信のサポートなしのＣＥＬＬ＿ＰＣＨおよびＵＲＡ＿ＰＣＨにおけるＨＳ−ＤＳＣＨ受信は、サポートされない。これらのフィーチャに関するＵＥサポートは、ネットワークに通知される。提示される実施形態は、ＣＥＬＬ＿ＦＡＣＨおよび／またはＣＥＬＬ＿ＰＣＨ／ＵＲＡ＿ＰＣＨにおけるＨＳＤＰＡに関するサポートが、ネットワークに個々に通知されることが可能な事例にまで拡張され得ることを理解されたい。
【０００５】
一方、ネットワークは、システム情報ブロック（ＳＩＢ５／５ｂｉｓ）を介して、強化されたＣＥＬＬ＿ＦＡＣＨをネットワークがサポートすることを通知する。以下の新たな２つのＩＥ（情報要素）が、導入されている。すなわち、ＣＥＬＬ＿ＦＡＣＨ状態に関してＨＳＤＰＡ受信がサポートされることを示す「ＨＳ−ＤＳＣＨ共通システム情報」、およびＣＥＬＬ／ＵＲＡ＿ＰＣＨ状態に関してＨＳＤＰＡ受信がサポートされることを示す「ＨＳ−ＤＳＣＨページングシステム情報」である。
【０００６】
ＨＳ−ＤＳＣＨ受信が、ＣＥＬＬ＿ＦＡＣＨにおいて進行中であるかどうかを示すのに、以下の新たな２つのブール変数が、追加されている。すなわち、ＨＳ＿ＤＳＣＨ＿ＲＥＣＥＰＴＩＯＮ＿ＣＥＬＬ＿ＦＡＣＨ＿ＳＴＡＴＥ：ＴＲＵＥである場合に、ＨＳ−ＤＳＣＨ受信がＣＥＬＬ＿ＦＡＣＨにおいて進行中であることを示す、およびＨＳ＿ＤＳＣＨ＿ＲＥＣＥＰＴＩＯＮ＿ＯＦ＿ＣＣＣＨ＿ＥＮＡＢＬＥＤ：ＴＲＵＥである場合に、ＨＳ−ＤＳＣＨ受信がＣＣＣＨに関して使用可能にされていることを示す。この変数は、ＵＥが、共通Ｈ−ＲＮＴＩを使用してＨＳＤＰＡトラフィックを受信している場合は、ＴＲＵＥに設定され、ＵＥが、共通Ｈ−ＲＮＴＩを使用せずＨＳＤＰＡトラフィックを受信していない場合は、ＦＡＬＳＥに設定される。
【０００７】
ＵＥに、専用Ｈ−ＲＮＴＩが割り当てられていない場合、ＵＥには、トラフィックを受信するように共通Ｈ−ＲＮＴＩが割り当てられる。そのような３つの状況は、以下のとおりである。すなわち、
１）ＵＥが、ＲＲＣ（無線リソース制御）ＣＯＮＮＥＣＴＩＯＮ  ＲＥＱＵＥＳＴメッセージを送信する（さらにＵＥは、ネットワークからＲＲＣ  ＣＯＮＮＥＣＴＩＯＮ  ＳＥＴＵＰ応答を待っている）。
２）ＵＥが、ＣＥＬＬ  ＵＰＤＡＴＥメッセージを送信し、さらにネットワークからＣＥＬＬ  ＵＰＤＡＴＥ  ＣＯＮＦＩＲＭ応答を待っている。
３）ＵＥが、ＵＲＡ  ＵＰＤＡＴＥメッセージを送信し、ネットワークからＵＲＡ  ＵＰＤＡＴＥ  ＣＯＮＦＩＲＭメッセージを待っている。
【０００８】
ＣＥＬＬ／ＵＲＡ＿ＰＣＨ  ＨＳ−ＤＳＣＨ受信指示に関して、新たな変数は、全く提案されていない。ＣＥＬＬ／ＵＲＡ＿ＰＣＨにある際、ＩＥ「ＨＳ−ＤＳＣＨページングシステム情報」がブロードキャスト（同報通信）される場合、ＵＥは、ＨＳＤＰＡ受信をセットアップする。いくつかの場合、ＵＥは、高速ＰＤＵの受信をもはや継続することができない（例えば、ハンドオーバ、セル再選択、無線リンク障害などの結果）。これらの場合において、ＭＡＣ（媒体アクセス制御）は、リセットされなければならない。リセット手続きは、ＵＥが、並べ替えキューの中のすべてのＰＤＵを、より高い層に転送し、さらにすべての高速状態変数を再初期化することを許す。
【０００９】
３ＧＰＰリリース６において、ＨＳＤＰＡは、ＣＥＬＬ＿ＤＣＨにおいてだけサポートされていた。その結果、ＭＡＣリセット（例えば、ｍａｃ−ｈｓリセット）は、以下の条件下で実行された。すなわち、ＵＥが、無線リンク障害を経験した、ＵＥが、ＲＬＣ回復不能な誤りを経験した、またはＵＥが、ＨＳＤＰＡがサポートされていない状態（ＣＥＬＬ＿ＤＣＨを除くすべての状態）に遷移するよう命令された。
【００１０】
現在、定義されているリリース７において、ＵＥは、以下の状態、すなわち、ＣＥＬＬ＿ＤＣＨ、ＣＥＬＬ＿ＦＡＣＨ、ＣＥＬＬ／ＵＲＡ＿ＰＣＨにおいてＭＡＣリセットを実行するように要求されることが可能である。以上に明記される（すなわち、ＣＥＬＬ＿ＤＣＨにあるＵＥに当てはまる）条件に加えて、ＵＥは、すべてのセル再選択の後、ＭＡＣリセットを実行することを要求される。現在、このことは、専用Ｈ−ＲＮＴＩを有するＷＴＲＵが、セル再選択を実行する場合に限って、行われる。このリセットが実行されず、可能な並べ替えの誤りをもたらすいくつものシナリオが、存在する。
【００１１】
また、ＩＤＬＥへ／からの遷移も、強化されたＣＥＬＬ＿ＦＡＣＨの導入による影響を受けている。リリース７  ＵＥが、ＣＥＬＬ＿ＦＡＣＨ状態においてＨＳＤＰＡ受信をサポートする場合、このＵＥは、ＩＤＬＥモードにある間、特に、ＵＥが、ＲＲＣ  ＣＯＮＮＥＣＴＩＯＮ  ＲＥＱＵＥＳＴを発行した後、ネットワークからのＲＲＣ  ＣＯＮＮＥＣＴＩＯＮ  ＳＥＴＵＰメッセージを待っている間にも、限られたＨＳＤＰＡ受信をサポートする。以下の３つの問題が、特定されている。すなわち、
１）ＵＥが、ＩＤＬＥにある間に（ＲＲＣ  ＣＯＮＮＥＣＴＩＯＮ  ＳＥＴＵＰメッセージを発行した後に）ＨＳＤＰＡ受信を開始した場合、セル再選択は、ＭＡＣリセットをもたらさなければならない。
２）ＲＲＣ接続手続きが、中止された場合、ＵＥは、ＵＥのすべてのＨＳＤＰＡリソースをクリアしなければならない。
３）ＩＤＬＥモードにある間、ＵＥは、強化されたＣＥＬＬ＿ＦＡＣＨをサポートするセルから、強化されたＣＥＬＬ＿ＦＡＣＨをサポートしないセルにセル再選択すること、および強化されたＣＥＬＬ＿ＦＡＣＨＨをサポートしないセルから、強化されたＣＥＬＬ＿ＦＡＣＨをサポートするセルにセル再選択することが可能である。ＵＥが、ＲＲＣ接続手続きを開始した場合、２つの問題に対応が行われなければならない可能性がある。第１に、リリース６からリリース７への遷移に関して、ＵＥは、ＵＥが、ＨＳ−ＤＳＣＨ上でＲＲＣ  ＣＯＮＮＥＣＴＩＯＮ  ＳＥＴＵＰメッセージを受信することができるように、ＨＳＤＰＡリソースをセットアップすることを要求される。第２に、リリース７からリリース６への遷移に関して、ＵＥは、ＨＳ−ＤＳＣＨ上のトラフィックは全く予期されないので、すべてのＨＳＤＰＡリソースを解放しなければならない。
【００１２】
強化されたＣＥＬＬ＿ＦＡＣＨの別の新たなフィーチャは、ＵＥが、ＣＥＬＬ＿ＰＣＨにある間に（ＤＣＣＨを介して）専用制御メッセージを受信することができることである。したがって、ＵＥは、再構成（例えば、無線ベアラ、トランスポートチャネル、物理チャネル）を実行するように求められることが可能である。また、再構成メッセージが、状態変化をもたらすことも可能である。
【００１３】
ＨＳＤＰＡリソースの適切な構成を許すため、ＵＥは、変数ＨＳ＿ＤＳＣＨ＿ＲＥＣＥＰＴＩＯＮ＿ＯＦ＿ＣＣＣＨ＿ＥＮＡＢＬＥＤの設定またはクリアを適切に管理して、ＵＥが、強化されたＣｅｌｌ＿ＦＡＣＨ状態にある間に共通Ｈ−ＲＮＴＩを使用している場合に限って、この変数がＴＲＵＥに設定されることを確実にしなければならない。この変数は、他のすべての場合に、ＦＡＬＳＥに設定されなければならない。最後に、進行中のセル更新手続き中、または進行中のＵＲＡ更新手続き中に行われるセル再選択は、これらの手続きが進行中でない場合のセル再選択と同様に振舞わなければならない。
【発明の概要】
【発明が解決しようとする課題】
【００１４】
したがって、セル再選択、ならびに強化されたＣＥＬＬ＿ＦＡＣＨ状態への遷移および強化されたＣＥＬＬ＿ＦＡＣＨ状態からの遷移を扱うための方法および装置を提供することが、有益である。
【課題を解決するための手段】
【００１５】
セル再選択、遷移、およびＣｅｌｌ＿ＤＣＨ無線リンク障害を扱うための方法および装置が、開示される。この方法は、セル再選択を実行することを含む。ＭＡＣ（媒体アクセス制御）−ｅｈｓリセットが、実行される。
【００１６】
添付の図面と併せて例として与えられる以下の説明から、より詳細な理解を得ることができる。
【図面の簡単な説明】
【００１７】
【図１】複数のＷＴＲＵ（無線送信／受信ユニット）と、ノードＢとを含む例示的な無線通信システムを示す図である。
【図２】図１のＷＴＲＵおよびノードＢを示す例示的な機能ブロック図である。
【図３】セル再選択、ならびに強化されたＣＥＬＬ＿ＦＡＣＨ状態への遷移および強化されたＣＥＬＬ＿ＦＡＣＨ状態からの遷移を扱うための方法を示す流れ図である。
【発明を実施するための形態】
【００１８】
以降、言及される場合、「ＷＴＲＵ（無線送信／受信ユニット）」という用語には、ＵＥ（ユーザ機器）、移動局、固定契約者ユニットもしくは移動契約者ユニット、ポケットベル、セルラー電話機、ＰＤＡ（パーソナルデジタルアシスタント）、コンピュータ、または無線環境において動作することができる他の任意のタイプのユーザデバイスが、含まれるが、以上には限定されない。以降、言及される場合、「基地局」には、ノードＢ、サイトコントローラ、ＡＰ（アクセスポイント）、または無線環境において動作することができる他の任意のタイプのインタフェースデバイスが、含まれるが、以上には限定されない。
【００１９】
以降、言及される場合、「Ｒ７（リリース７）」という用語には、ＣＥＬＬ＿ＦＡＣＨおよび／またはＣＥＬＬ／ＵＲＡ＿ＰＣＨにおいてＨＳ−ＤＳＣＨをサポートするＷＴＲＵまたはノードＢが含まれるが、以上には限定されず、さらに「Ｒ６（リリース６）」には、ＣＥＬＬ＿ＦＡＣＨおよび／またはＣＥＬＬ／ＵＲＡ＿ＰＣＨにおいてＨＳ−ＤＳＣＨをサポートしないＷＴＲＵまたはノードＢが含まれるが、以上には限定されない。
【００２０】
また、ＣＥＬＬ＿ＦＡＣＨにおけるＨＳ−ＤＳＣＨには、ＲＲＣ接続手続きの受信のためのアイドルモードにおけるＨＳ−ＤＳＣＨ受信も含まれる。
【００２１】
以降、言及される場合、「強化されたＣＥＬＬ＿ＦＡＣＨ状態」という用語には、ＣＥＬＬ＿ＤＣＨ以外の状態でＨＳＤＰＡリソースを使用しているＷＴＲＵが含まれるが、そのようなＷＴＲＵには限定されない。
【００２２】
図１は、複数のＷＴＲＵ１１０と、ノードＢ１２０と、ＲＮＣ（無線ネットワークコントローラ）１３０とを含む例示的な無線通信システム１００を示す。図１に示されるとおり、ＷＴＲＵ１１０は、ノードＢ１２０と通信しており、ノードＢ１２０は、ＲＮＣ１３０と通信状態にある。ＷＴＲＵ１１０、ノードＢ１２０、およびＲＮＣ１３０の例示的な構成が、図１に示されるものの、無線デバイスと有線デバイスの任意の組合せが、無線通信システム１００に含められてもよいことに留意されたい。
【００２３】
図２は、図１の無線通信システム１００のＷＴＲＵ１１０およびノードＢ１２０の例示的な機能ブロック図２００である。図２に示されるとおり、ＷＴＲＵ１１０は、ノードＢ１２０と通信状態にある。ノードＢ１２０は、セル再選択、ならびに強化されたＣｅｌｌ＿ＦＡＣＨ状態への遷移および強化されたＣｅｌｌ＿ＦＡＣＨ状態からの遷移を扱うように構成される。
【００２４】
通常のＷＴＲＵに見られることが可能な構成要素に加えて、ＷＴＲＵ１１０は、プロセッサ１１５、受信機１１６、送信機１１７、およびアンテナ１１８を含む。受信機１１６および送信機１１７は、プロセッサ１１５と通信状態にある。アンテナ１１８は、受信機１１６と送信機１１７の両方と通信しており、無線データの送信および受信を円滑にする。ＷＴＲＵ１１０のプロセッサ１１５は、セル再選択、ならびに強化されたＣｅｌｌ＿ＦＡＣＨ状態への遷移および強化されたＣｅｌｌ＿ＦＡＣＨ状態からの遷移を扱うように構成される。
【００２５】
通常のノードＢに見られることが可能な構成要素に加えて、ノードＢ１２０は、プロセッサ１２５、受信機１２６、送信機１２７、およびアンテナ１２８を含む。受信機１２６および送信機１２７は、プロセッサ１２５と通信状態にある。アンテナ１２８は、受信機１２６と送信機１２７の両方と通信しており、無線データの送信および受信を円滑にする。
【００２６】
図３は、強化されたＣＥＬＬ＿ＦＡＣＨ状態を抜けるセル再選択を扱うための方法３００の流れ図である。方法３００の詳細は、以下により詳細に説明されるものの、一般に、ＷＴＲＵ１１０が、セル再選択を実行する（ステップ３１０）。セル再選択を実行すると、ＨＳ−ＤＳＣＨのソースが変化している可能性があるという事実のため、ＭＡＣ（媒体アクセス制御）−ｅｈｓリセットが、実行される（ステップ３２０）。再選択されたセルに応じて、ＷＴＲＵ１１０は、ＨＳＤＰＡリソースをクリアし、さらにＨＳ−ＤＳＣＨ受信手続きを停止することが可能である。
【００２７】
一実施例では、ＭＡＣ−ｈｓ／ｅｈｓリセットは、ＷＴＲＵ１１０が、ＣＥＬＬ＿ＵＰＤＡＴＥ＿ＣＯＮＦＩＲＭメッセージを待っている間にセル再選択が行われた場合に、実行される。リセットは、セル再選択後、すべての場合に（すなわち、ＷＴＲＵが、専用Ｈ−ＲＮＴＩを有さない場合でさえ）実行されても、ＷＴＲＵが、進行中のＨＳＤＰＡ受信を有する場合（すなわち、ＷＴＲＵが、セル再選択に先立ってＨＳ−ＤＳＣＨを受信している場合）に限って、実行されてもよい。
【００２８】
例えば、セル更新／ＵＲＡ更新タイマが、満了した場合、またはセル更新手続きもしくはＵＲＡ更新手続きの完了に先立って、別のＵＴＲＡセルへの再選択が行われた場合で、ＷＴＲＵ１１０は、ＷＴＲＵ１１０がアイドルモードに入っていない場合に、「サービスエリア内」を検出することが可能である。この事例において、セル更新手続きカウンタまたはＵＲＡ更新手続きカウンタが、セル更新／ＵＲＡ更新メッセージの再送の最大回数以下である場合、ＷＴＲＵ１１０は、セル再選択を実行することが可能である。
【００２９】
例えば、ＦＤＤ（周波数分割複信）に関して、ＷＴＲＵ１１０が、ＨＳ−ＤＳＣＨ受信をサポートし、さらにＩＥ（情報要素）、「ＨＳ−ＤＳＣＨ共通システム情報」が、ＳＩＢ５またはＳＩＢ５ｂｉｓの中に含まれる場合、ＷＴＲＵ１１０は、ＭＡＣ−ｅｈｓエンティティをリセットすることが可能である。
【００３０】
代替として、ＷＴＲＵ１１０は、ＣＥＬＬ＿ＤＣＨからの無線リンク障害の後に、セル選択を実行した後、ＭＡＣ−ｅｈｓエンティティをリセットしてもよい。ＷＴＲＵ１１０は、専用Ｈ−ＲＮＴＩではなく、共通Ｈ−ＲＮＴＩを使用していることが可能であるので、リセットは、新たなＭＡＣフロー（例えば、ＣＣＣＨおよびＳＲＢ１に関する）の受信を許すことが可能である。
【００３１】
例えば、ＷＴＲＵ１１０は、ＣＥＬＬ＿ＤＣＨにある間の無線リンク障害の結果として、セル更新手続きを開始してもよい。ＦＤＤに関して、ＷＴＲＵ１１０が、ＨＳ−ＤＳＣＨ受信をサポートし、さらにＩＥ（情報要素）「ＨＳ−ＤＳＣＨ共通システム情報」が、ＳＩＢ５またはＳＩＢ５ｂｉｓの中に含まれる場合、ＷＴＲＵ１１０は、ＭＡＣ−ｅｈｓエンティティをリセットすることが可能である。
【００３２】
代替として、ＷＴＲＵ１１０は、専用Ｈ−ＲＮＴＩなしにセル再選択を実行した後、ＭＡＣ−ｅｈｓエンティティをリセットしてもよい。
【００３３】
例えば、ＷＴＲＵ１１０は、ＵＲＡ更新手続きまたはセル更新手続きを開始することが可能である。ＷＴＲＵ１１０が、セル再選択を実行した場合、次に、ＦＤＤに関して、ＷＴＲＵ１１０が、ＨＳ−ＤＳＣＨ受信をサポートし、さらにＩＥ（情報要素）「ＨＳ−ＤＳＣＨ共通システム情報」が、ＳＩＢ５またはＳＩＢ５ｂｉｓの中に含まれる場合、ＷＴＲＵ１１０は、ＭＡＣ−ｅｈｓエンティティをリセットすることが可能である。
【００３４】
ＷＴＲＵ１１０は、ＩＤＬＥモードにおいてＨＳ−ＤＳＣＨ受信を使用することを許される（ＲＲＣ  ＣＯＮＮＥＣＴＩＯＮ  ＲＥＱＵＥＳＴを送信した後などに）。ＷＴＲＵ１１０は、ＲＲＣ  ＣＯＮＮＥＣＴＩＯＮ  ＲＥＱＵＥＳＴを送信すると、ダウンリンク伝送を監視して、ＲＮＣ応答を特定する。この時間中、ＷＴＲＵ１１０は、セル再選択を実行することが可能である。
【００３５】
再選択されたセルに依存して、ＷＴＲＵ１１０は、ＣＥＬＬ＿ＦＡＣＨおよびＣＥＬＬ／ＵＲＡ＿ＰＣＨにおいてＨＳＤＰＡ受信をサポートするセルから、ＨＳ−ＤＳＣＨ受信をもはやサポートしないセルに遷移することが可能である。ＷＴＲＵ１１０は、ＨＳＤＰＡリソースをクリアし、つまり解放し、さらにＨＳ−ＤＳＣＨ受信手続きを停止することが可能である。
【００３６】
例えば、ＷＴＲＵ１１０が、ＲＲＣ  ＣＯＮＮＥＣＴＩＯＮ  ＲＥＱＵＥＳＴを送信しており、さらに変数、ＩＮＩＴＩＡＬ＿ＵＥ＿ＩＤＥＮＴＩＴＹの値と等しいＩＥ「初期ＵＥ  ＩＤ」の値を有するＲＲＣ  ＣＯＮＮＥＣＴＩＯＮ  ＳＥＴＵＰメッセージをまだ受信しておらず、さらにセル再選択、またはＲＲＣ  ＣＯＮＮＥＣＴＩＯＮ  ＲＥＱＵＥＳＴタイマ（現在、標準においてＴ３００またはＴ３１８と呼ばれる）の満了が生じている場合、ＷＴＲＵ１１０は、ＲＲＣ  ＣＯＮＮＥＣＴＩＯＮ手続きカウンタ（現在、標準においてＶ３００と呼ばれる）が、ＲＲＣ  ＣＯＮＮＥＣＴＩＯＮ  ＲＥＱＵＥＳＴメッセージの再送の最大回数（現在、標準においてＮ３００と呼ばれる）以下であることを確認することが可能であり、さらにＦＤＤに関して、セル再選択が、行われており、さらにＷＴＲＵ１１０が、ＨＳ−ＤＳＣＨ受信をサポートし、さらにＩＥ、「ＨＳ−ＤＳＣＨ共通システム情報」が、ＳＩＢ５またはＳＩＢ５ｂｉｓの中に含まれない場合、ＷＴＲＵ１１０は、ＨＳ＿ＳＣＣＨ受信手続きおよびＨＳ−ＤＳＣＨ受信手続きを停止することによって、ＨＳＤＰＡリソースを解放することが可能である。さらに、ＷＴＲＵ１１０は、変数Ｈ＿ＲＮＴＩをクリアし、格納されたＨ−ＲＮＴＩを除去することが可能である。ＭＡＣ−ｅｈｓエンティティをリセットすることに加えて、ＷＴＲＵ１１０は、すべてのＨＡＲＱリソースを解放することも可能である。
【００３７】
代替として、ＷＴＲＵ１１０は、セル再選択に先立ってＨＳＤＰＡリソースが使用されている場合に限って、以上のことを実行することを選択してもよい。
【００３８】
また、ＷＴＲＵ１１０アクションは、既存のＨＳ＿ＤＳＣＨ＿ＲＥＣＥＰＴＩＯＮ変数を使用することによってトリガされることも可能であり、あるいは新たなＨＳ＿ＤＳＣＨ＿ＲＥＣＥＰＴＩＯＮ変数が、ＨＳＤＰＡリソース使用を表すフラグとして定義されて、リソース解放をトリガすることも可能である。
【００３９】
再選択されたセルに依存して、ＷＴＲＵ１１０は、ＣＥＬＬ＿ＦＡＣＨおよびＣＥＬＬ／ＵＲＡ＿ＰＣＨにおいてＨＳＤＰＡ受信をサポートするセルにわたって遷移することが可能である。ＷＴＲＵは、ＭＡＣ−ｅｈｓリセットを実行することが可能である。
【００４０】
例えば、ＷＴＲＵ１１０が、ＲＲＣ  ＣＯＮＮＥＣＴＩＯＮ  ＲＥＱＵＥＳＴを送信しており、さらに変数、ＩＮＩＴＩＡＬ＿ＵＥ＿ＩＤＥＮＴＩＴＹの値と等しいＩＥ「初期ＵＥ  ＩＤ」の値を有するＲＲＣ  ＣＯＮＮＥＣＴＩＯＮ  ＳＥＴＵＰメッセージをまだ受信しておらず、さらにセル再選択、またはＲＲＣ  ＣＯＮＮＥＣＴＩＯＮ  ＲＥＱＵＥＳＴタイマ（Ｔ３００またはＴ３１８）の満了が生じている場合、ＷＴＲＵ１１０は、ＲＲＣ  ＣＯＮＮＥＣＴＩＯＮ手続きカウンタ（Ｖ３００）が、ＲＲＣ  ＣＯＮＮＥＣＴＩＯＮ  ＲＥＱＵＥＳＴメッセージの再送の最大回数（Ｎ３００）以下であることを確認することが可能であり、さらにＦＤＤに関して、セル再選択が、行われており、さらにＷＴＲＵ１１０が、ＨＳ−ＤＳＣＨ受信をサポートし、さらにＩＥ、「ＨＳ−ＤＳＣＨ共通システム情報」が、ＳＩＢ５またはＳＩＢ５ｂｉｓの中に含まれ、さらに変数「ＨＳ−ＤＳＣＨ＿ＲＥＣＥＰＴＩＯＮ＿ＯＦ＿ＣＣＣＨ＿ＥＮＡＢＬＥＤ」が、ＴＲＵＥに設定されている場合、ＷＴＲＵ１１０は、ＭＡＣ−ｅｈｓエンティティをリセットすることが可能である。
【００４１】
再選択されたセルに依存して、ＷＴＲＵ１１０は、ＣＥＬＬ＿ＦＡＣＨおよびＣＥＬＬ／ＵＲＡ＿ＰＣＨにおいてＨＳＤＰＡ受信をサポートしないセルから、ＨＳ−ＤＳＣＨ受信をサポートするセルに遷移することが可能である。そのような事例において、ＷＴＲＵ１１０は、ＨＳ−ＤＳＣＨ（例えば、ＨＡＲＱリソース、共通Ｈ−ＲＮＴＩ、ＣＣＣＨトラフィックに関するＭＡＣフローなど）をセットアップすることを要求されることが可能である。
【００４２】
この状況において、いくつかのシナリオが、利用されることが可能である。例えば、ＷＴＲＵ１１０が、ＲＲＣ  ＣＯＮＮＥＣＴＩＯＮ  ＲＥＱＵＥＳＴを送信しており、変数ＩＮＩＴＩＡＬ＿ＵＥ＿ＩＤＥＮＴＩＴＹの値と等しいＩＥ「初期ＵＥ  ＩＤ」の値を有するＲＲＣ  ＣＯＮＮＥＣＴＩＯＮ  ＳＥＴＵＰメッセージをまだ受信しておらず、さらにセル再選択、またはＲＲＣ  ＣＯＮＮＥＣＴＩＯＮ  ＲＥＱＵＥＳＴタイマ（Ｔ３００またはＴ３１８）の満了が生じている場合、ＷＴＲＵ１１０は、ＲＲＣ  ＣＯＮＮＥＣＴＩＯＮ手続きカウンタ（Ｖ３００）が、ＲＲＣ  ＣＯＮＮＥＣＴＩＯＮ  ＲＥＱＵＥＳＴメッセージの再送の最大回数（Ｎ３００）以下であることを確認することが可能であり、さらにＦＤＤに関して、セル再選択が、行われており、さらにＷＴＲＵ１１０が、ＨＳ−ＤＳＣＨ受信をサポートし、さらにＩＥ、「ＨＳ−ＤＳＣＨ共通システム情報」が、ＳＩＢ５またはＳＩＢ５ｂｉｓの中に含まれ、さらに変数「ＨＳ＿ＤＳＣＨ＿ＲＥＣＥＰＴＩＯＮ＿ＯＦ＿ＣＣＣＨ＿ＥＮＡＢＬＥＤ」が、ＦＡＬＳＥに設定されている場合、ＷＴＲＵ１１０は、変数「ＨＳ＿ＤＳＣＨ＿ＲＥＣＥＰＴＩＯＮ＿ＯＦ＿ＣＣＣＨ＿ＥＮＡＢＬＥＤ」をＴＲＵＥに設定し、ＨＳ−ＤＳＣＨを受信することを始めることができる。
【００４３】
代替として、ＩＤＬＥモードにあるＷＴＲＵ１１０は、Ｒ６セルにおいてＣＣＣＨフラグをＴＲＵＥに設定してもよい。Ｒ６においてＨＳ＿ＤＳＣＨ＿ＲＥＣＥＰＴＩＯＮ＿ＯＦ＿ＣＣＣＨ＿ＥＮＡＢＬＥＤがＴＲＵＥであることを保証するため、この変数は、Ｒ６セルにおいてシステム情報が読み取られるたびに、またはＷＴＲＵ１１０がＲ６セル内にあり、接続モードからＩＤＬＥモードに遷移する場合はいつでも、ＴＲＵＥに設定されなければならない。このことは、接続モードからアイドルモードに入る際のアクションを変更することによって達せられることが可能である。
【００４４】
別の代替として、進行中のＲＲＣ接続手続きを有する、ＩＤＬＥモードにあるＷＴＲＵ１１０が、セル再選択を実行するたびに、ＷＴＲＵ１１０は、ＣＣＣＨフラグをＴＲＵＥに設定し、次に、この変数と関係するアクションを実行する。例えば、ＷＴＲＵ１１０は、ＲＲＣ  ＣＯＮＮＥＣＴＩＯＮ  ＲＥＱＵＥＳＴメッセージを送信して、ＲＲＣ  ＣＯＮＮＥＣＴＩＯＮ  ＳＥＴＵＰ  ＭＥＳＳＡＧＥを待つことが可能である。セル再選択が存在し、さらに遷移が、Ｒ７セルからＲ７セルへの遷移である場合、ＭＡＣ−ｅｈｓエンティティのリセットだけが行われる。遷移が、Ｒ６セルからＲ７セルへの遷移である場合、変数ＨＳ＿ＤＳＣＨ＿ＲＥＣＥＰＴＩＯＮ＿ＯＦ＿ＣＣＣＨ＿ＥＮＡＢＬＥＤが、「真」に設定され、ＷＴＲＵ１１０が、ＨＳ−ＤＳＣＨを受信することを始める。遷移が、Ｒ７セルからＲ６セルへの遷移である場合、ＨＳ＿ＳＣＣＨ受信手続きが、停止され、ＨＳ−ＤＳＣＨ受信手続きが、停止され、ＭＡＣ−ｈｓエンティティが、リセットされ、ＨＡＲＱリソースが、解放され、格納された「ＨＡＲＱ情報」ＩＥが、クリアされる。
【００４５】
変数ＨＳ＿ＤＳＣＨ＿ＲＥＣＥＰＴＩＯＮ＿ＯＦ＿ＣＣＣＨ＿ＥＮＡＢＬＥＤは、ＷＴＲＵ１１０が共通Ｈ−ＲＮＴＩを使用していることを表すフラグとして使用される。この変数は、ＷＴＲＵ１１０が、ＷＴＲＵ１１０の共通Ｈ−ＲＮＴＩを使用していない場合、「ＦＡＬＳＥ」に設定されなければならない。このことは、変数ＨＳ＿ＤＳＣＨ＿ＲＥＣＥＰＴＩＯＮ＿ＣＥＬＬ＿ＦＡＣＨ＿ＳＴＡＴＥの評価が、専用Ｈ−ＲＮＴＩがＷＴＲＵ１１０に割り当てられている場合に限って、リソースを正しくクリアすることを確実にすることができる。共通Ｈ−ＲＮＴＩ上で受信することは、通常、ＷＴＲＵ１１０が、セル再選択を実行しており、さらにＣＥＬＬ  ＵＰＤＡＴＥ  ＣＯＮＦＩＲＭメッセージを待っている場合、またはＷＴＲＵ１１０が、ＵＲＡ再選択を実行しており、さらにＵＲＡ  ＵＰＤＡＴＥ  ＣＯＮＦＩＲＭメッセージを待っている場合、またはＷＴＲＵ１１０が、ＲＲＣセットアップを開始しており、さらにＲＲＣ  ＣＯＮＮＥＣＴＩＯＮ  ＳＥＴＵＰメッセージを待っている場合、可能である。
【００４６】
ＷＴＲＵ１１０をＣＥＬＬ＿ＤＣＨ状態に送るＲＲＣ  ＣＯＮＮＥＣＴＩＯＮ  ＳＥＴＵＰメッセージを受信した後、ＷＴＲＵ１１０は、変数ＨＳ＿ＤＳＣＨ＿ＲＥＣＥＰＴＩＯＮ＿ＯＦ＿ＣＣＣＨ＿ＥＮＡＢＬＥＤを「ＦＡＬＳＥ」に設定する。
【００４７】
ＷＴＲＵ１１０は、ＣＥＬＬ＿ＰＣＨに関連する活動を終了させることが可能である。例えば、ＷＴＲＵ１１０は、周期的セル更新タイマを停止しなければならない。ネットワークが、ＣＥＬＬ＿ＦＡＣＨへの遷移を要求する場合、またはＣＥＬＬ＿ＰＣＨに関して新たな構成が提供される場合、ＷＴＲＵ１１０は、ＣＥＬＬ＿ＦＡＣＨに遷移する際のアクションと同様のアクションを実行しなければならない。
【００４８】
例えば、ＩＥ「周波数情報」が、受信された再構成メッセージの中に含まれている場合、ＷＴＲＵ１１０は、提供された周波数上で適切なセルを選択することができる。ＩＥ「周波数情報」が、受信された再構成メッセージの中に含まれていない場合、ＷＴＲＵ１１０は、ＲＬＣにおける周期的ステータス伝送を禁止することが可能であり、さらにＷＴＲＵ１１０は、現在、標準においてＴ３０５と呼ばれるタイマを開始することが可能である。ＩＥ「新たなＣ−ＲＮＴＩ」が、再構成メッセージの中に含まれていない場合、ＷＴＲＵ１１０は、変数Ｃ＿ＲＮＴＩ、Ｈ＿ＲＮＴＩ、および格納されたＨＡＲＱ情報をクリアすることができ、さらにＭＡＣ−ｅｈｓエンティティをリセットすることも可能である。ＷＴＲＵ１１０は、選択されたＰＩＣＨ上のページング機会を監視することを始めることが可能であり、さらにＩＥ「ＵＴＲＡＮ  ＤＲＸサイクル長係数」が含まれている場合、ＷＴＲＵ１１０は、この値を使用して、ページング機会を特定することができる。
【００４９】
特徴および要素を特定の組合せで以上に説明してきたものの、各特徴または各要素は、その他の特徴および要素なしに単独で使用されること、あるいは他の特徴および要素を伴って、または伴わずに様々な組合せで使用されることも可能である。本明細書で与えられる方法または流れ図は、汎用コンピュータまたはプロセッサによって実行されるようにコンピュータ可読記憶媒体に組み込まれたコンピュータプログラム、ソフトウェア、またはファームウェアとして実施されることが可能である。コンピュータ可読記憶媒体の例には、ＲＯＭ（読み取り専用メモリ）、ＲＡＭ（ランダムアクセスメモリ）、レジスタ、キャッシュメモリ、半導体メモリデバイス、内部ハードディスクやリムーバブルディスクなどの磁気媒体、光磁気媒体、およびＣＤ−ＲＯＭディスクやＤＶＤ（デジタルバーサタイルディスク）などの光媒体が含まれる。
【００５０】
適切なプロセッサには、例として、汎用プロセッサ、専用プロセッサ、従来のプロセッサ、ＤＳＰ（デジタルシグナルプロセッサ）、複数のマイクロプロセッサ、ＤＳＰコアに関連する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、および／または状態マシンが含まれる。
【００５１】
ソフトウェアに関連するプロセッサが、ＷＴＲＵ（無線送受信ユニット）、ＵＥ（ユーザ機器）、端末装置、基地局、ＲＮＣ（無線ネットワークコントローラ）、または任意のホストコンピュータにおいて使用するための無線周波数トランシーバを実施するのに使用されることが可能である。ＷＴＲＵは、カメラ、ビデオカメラモジュール、テレビ電話機、スピーカフォン、振動デバイス、スピーカ、マイクロホン、テレビトランシーバ、ハンズフリーハンドセット、キーボード、Ｂｌｕｅｔｏｏｔｈ（登録商標）モジュール、ＦＭ（周波数変調）無線ユニット、ＬＣＤ（液晶ディスプレイ）ディスプレイユニット、ＯＬＥＤ（有機発光ダイオード）ディスプレイユニット、デジタル音楽プレーヤ、メディアプレーヤ、ビデオゲームプレーヤモジュール、インターネットブラウザ、および／または任意のＷＬＡＮ（無線ローカルエリアネットワーク）モジュールまたはＵＷＢ（ウルトラワイドバンド）モジュールなどの、ハードウェアおよび／またはソフトウェアとして実施されたモジュールと連携して使用されることが可能である。
【００５２】
実施形態
１．セル再選択および遷移を扱うための方法。
２．セル再選択を実行することをさらに含む実施形態１の方法。
３．ＭＡＣ（媒体アクセス制御）−ｅｈｓリセットを実行することをさらに含む前述のいずれかの実施形態におけるとおりの方法。
４．セル更新メッセージを送信することをさらに含む前述のいずれかの実施形態におけるとおりの方法。
５．セル更新確認メッセージを待つことをさらに含む前述のいずれかの実施形態におけるとおりの方法。
６．リセットは、専用ＨＳ−ＤＳＣＨ（高速ダウンリンク共有チャネル）Ｈ−ＲＮＴＩ（無線ネットワーク識別子）なしに実行される前述のいずれかの実施形態におけるとおりの方法。
７．変数ＨＳ＿ＤＳＣＨ＿ＲＥＣＥＰＴＩＯＮ＿ＯＦ＿ＣＣＣＨ＿ＥＮＡＢＬＥＤを真に設定することをさらに含む前述のいずれかの実施形態におけるとおりの方法。
８．ＨＳＤＰＡ（高速ダウンリンクパケットアクセス）リソースを解放することをさらに含む前述のいずれかの実施形態におけるとおりの方法。
９．ＨＳ−ＳＣＣＨ（高速共有制御チャネル）受信手続きを停止することをさらに含む前述のいずれかの実施形態におけるとおりの方法。
１０．ＨＳ−ＤＳＣＨ（高速ダウンリンク共有チャネル）受信手続きを停止することをさらに含む前述のいずれかの実施形態におけるとおりの方法。
１１．Ｈ−ＲＮＴＩ変数をクリアし、格納されたＨ−ＲＮＴＩを除去することをさらに含む前述のいずれかの実施形態におけるとおりの方法。
１２．ＨＡＲＱ（混成自動再送要求）リソースを解放することをさらに含む前述のいずれかの実施形態におけるとおりの方法。
１３．ＣＣＣＨ（共通制御チャネル）フラグを第１の状態に設定することをさらに含む前述のいずれかの実施形態におけるとおりの方法。
１４．第１の状態は、真の状態である前述のいずれかの実施形態におけるとおりの方法。
１５．第１の状態は、偽の状態である前述のいずれかの実施形態におけるとおりの方法。
１６．ＣＥＬＬ＿ＰＣＨ手続きを終了させることをさらに含む前述のいずれかの実施形態におけるとおりの方法。
１７．周期的セル更新タイマが、終了される前述のいずれかの実施形態におけるとおりの方法。
１８．ＨＳＤＰＡリンクを確立することをさらに含む前述のいずれかの実施形態におけるとおりの方法。
１９．前述のいずれかの実施形態におけるとおりの方法を実行するように構成されたＷＴＲＵ（無線送信／受信ユニット）。
２０．受信機をさらに含む実施形態１９のＷＴＲＵ。
２１．送信機をさらに含む実施形態１９〜２０のいずれかにおけるとおりのＷＴＲＵ。
２２．受信機および送信機と通信状態にあるプロセッサをさらに含む実施形態１９〜２１のいずれかにおけるとおりのＷＴＲＵ。
２３．プロセッサは、セル再選択を実行するように構成される実施形態１９〜２２のいずれかにおけるとおりのＷＴＲＵ。
２４．プロセッサは、ＭＡＣ（媒体アクセス制御）−ｅｈｓリセットを実行するように構成される実施形態１９〜２３のいずれかにおけるとおりのＷＴＲＵ。
２５．プロセッサは、セル更新メッセージを送信するように構成される実施形態１９〜２４のいずれかにおけるとおりのＷＴＲＵ。
２６．プロセッサは、変数ＨＳ＿ＤＳＣＨ＿ＲＥＣＥＰＴＩＯＮ＿ＯＦ＿ＣＣＣＨ＿ＥＮＡＢＬＥＤを真に設定するように構成される実施形態１９〜２５のいずれかにおけるとおりのＷＴＲＵ。
２７．プロセッサは、ＨＳＤＰＡ（高速ダウンリンクパケットアクセス）リソースを解放するように構成される実施形態１９〜２６のいずれかにおけるとおりのＷＴＲＵ。
２８．プロセッサは、ＨＳ−ＳＣＣＨ（高速共有制御チャネル）受信手続きを停止するように構成される実施形態１９〜２７のいずれかにおけるとおりのＷＴＲＵ。
２９．プロセッサは、ＨＳ−ＤＳＣＨ（高速ダウンリンク共有チャネル）受信手続きを停止するように構成される実施形態１９〜２８のいずれかにおけるとおりのＷＴＲＵ。
３０．プロセッサは、Ｈ−ＲＮＴＩ変数をクリアし、格納されたＨ−ＲＮＴＩを除去するように構成される実施形態１９〜２９のいずれかにおけるとおりのＷＴＲＵ。
３１．プロセッサは、ＨＡＲＱ（混成自動再送要求）リソースを解放するように構成される実施形態１９〜３０のいずれかにおけるとおりのＷＴＲＵ。
３２．プロセッサは、ＣＣＣＨ（共通制御チャネル）フラグを真の状態に設定するように構成される実施形態１９〜３１のいずれかにおけるとおりのＷＴＲＵ。
３３．プロセッサは、ＣＣＣＨ（共通制御チャネル）フラグを偽の状態に設定するように構成される実施形態１９〜３２のいずれかにおけるとおりのＷＴＲＵ。
３４．プロセッサは、ＣＥＬＬ＿ＰＣＨ手続きを終了させるように構成される実施形態１９〜３３のいずれかにおけるとおりのＷＴＲＵ。
３５．プロセッサは、ＨＳＤＰＡリンクを確立するように構成される実施形態１９〜３４のいずれかにおけるとおりのＷＴＲＵ。
３６．実施形態１〜１８のいずれかにおけるとおりの方法を実行するように構成されるＩＣ（集積回路）。
３７．受信機をさらに含む実施形態３６のＩＣ。
３８．送信機をさらに含む実施形態３６〜３７のいずれかにおけるとおりのＩＣ。
３９．受信機および送信機と通信状態にあるプロセッサをさらに含む実施形態３６〜３８のいずれかにおけるとおりのＩＣ。
４０．プロセッサは、セル再選択を実行するように構成される実施形態３６〜３９のいずれかにおけるとおりのＩＣ。
４１．プロセッサは、ＭＡＣ（媒体アクセス制御）−ｅｈｓリセットを実行するように構成される実施形態３６〜４０のいずれかにおけるとおりのＩＣ。
４２．第１のメッセージを待つことをさらに含む実施形態１〜１８のいずれかにおけるとおりの方法。
４３．第１のメッセージを待つ間にセル再選択を実行することをさらに含む実施形態１〜１８および実施形態４２のいずれかにおけるとおりの方法。
４４．第１のメッセージは、ＣＥＬＬ  ＵＰＤＡＴＥ  ＣＯＮＦＩＲＭメッセージまたはＵＲＡ  ＵＰＤＡＴＥ  ＣＯＮＦＩＲＭメッセージのいずれか１つである実施形態１〜１８および実施形態４２〜４３のいずれかにおけるとおりの方法。
４５．ＣＥＬＬ＿ＤＣＨ状態において動作することをさらに含む実施形態１〜１８および実施形態４２〜４４のいずれかにおけるとおりの方法。
４６．無線リンク障害を経験することをさらに含む実施形態１〜１８および実施形態４２〜４５のいずれかにおけるとおりの方法。
４７．ＲＲＣ  ＣＯＮＮＥＣＴＩＯＮ  ＳＥＴＵＰメッセージを受信することをさらに含み、ＲＲＣ  ＣＯＮＮＥＣＴＩＯＮ  ＳＥＴＵＰメッセージは、ＣＥＬＬ＿ＤＣＨ状態への遷移を示す実施形態１〜１８および実施形態４２〜４６のいずれかにおけるとおりの方法。
４８．ＨＳ＿ＤＳＣＨ＿ＲＥＣＥＰＴＩＯＮ＿ＯＦ＿ＣＣＣＨ＿ＥＮＡＢＬＥＤ変数をクリアすることをさらに含む実施形態１〜１８および実施形態４２〜４７のいずれかにおけるとおりの方法。
４９．ＨＳ＿ＤＳＣＨ＿ＲＥＣＥＰＴＩＯＮ＿ＯＦ＿ＣＣＣＨ＿ＥＮＡＢＬＥＤ変数は、偽に設定される実施形態１〜１８および実施形態４２〜４８のいずれかにおけるとおりの方法。
【符号の説明】
【００５３】
１１０  ＷＴＲＵ
１２０  ノードＢ
１３０  ＲＮＣ（無線ネットワークコントローラ）
【図１】
2014140213.tif 000003
【図２】
2014140213.tif 000004
【図３】
2014140213.tif 000005